(57)【特許請求の範囲】
【請求項１】
レーザー素子より放射されるレーザービームが対物レンズにより収束されて記録媒体に照射され、該記録媒体からの反射光が受光素子に受光される光ピックアップ装置において、
前記受光素子が取り付けられるプレートに接着孔が設けられ、
該プレートに該受光素子が遊嵌される凹部が設けられ、該凹部内の中央部に該接着孔が設けられ、
該凹部内の前記反射光が通過する孔と、該受光素子の受光面に配置された検出部とが一致するように、該プレートの該凹部に該受光素子が遊嵌されたのちに、該接着孔と、該受光面の一部とが接着され、
該受光面と、該プレートとの接着部分は、該受光面のセンター部分とされて、該受光素子が該プレートに支持されたことを特徴とする光ピックアップ装置。
【発明の詳細な説明】
【０００１】
【発明の属する技術分野】
本発明は、ＣＤプレーヤー等に組み込まれる光ピックアップ装置で、レーザービームを受光する受光素子の支持方法に係る光ピックアップ装置に関するものである。
【０００２】
【従来の技術】
光ピックアップ装置の一例として、特開平８−３２９５１１に開示しているように受光素子は左右に接続端子が配置されるとともに受光面方向へＬ字型に形成された接続端子を設け、受光素子より大きなプリント基板に受光面がプリント基板に対向するよう半田付けされるとともにプリント基板中央部には記録媒体からの反射光が通過し受光素子に照射する孔を設け、受光素子の後面とフレームを当接しプリント基板とフレーム間を接着材にて充填して支持するように構成されている。
【０００３】
また、他の方法として、左右に複数の接続端子が配置された受光素子は受光部面の方向へＬ字型に形成された接続端子を設け、受光素子と同程度の面積であるプリント基板を受光面と対向させて接続端子が半田付けされ、そして、プリント基板は中央部に記録媒体からの反射光が通過し受光素子に照射する孔と両端に位置決め用の凹部が切込まれ、本体フレームには受光素子の両側面を当接する位置決め用の二つの突起を設け、該突起にプリント基板を受光面をフレーム方向に対向して凹部に当接し接着剤により突起と受光素子の上側面をＵＶ接着剤にて支持するように構成されている。
【０００４】
また、他の方法として、受光素子が搭載されるプリント基板は中央部に受光素子が配置されるよう空間部を設け、左右に接続端子を有した受光素子は前記プリント基板の空間部に配置するとともに、プリント基板と受光素子の接続端子間とを半田付けにより支持され、受光素子が搭載されたプリント基板は中央部に記録媒体からの反射光が通過し受光素子に照射する孔を設け、フレームに設けられている記録媒体からの反射光が通過する孔に前記受光素子が合致するようプリント基板をネジにより固定されるよう構成されている。
【０００５】
【発明が解決しようとする課題】
受光素子の両側面部分をハウジングに成型された受光部を取付ける位置決めの突起部と受光部上側面をＵＶ接着する構成、または、受光素子を搭載したプリント基板の受光素子の背面をフレームと当接し、フレームとプリント基板の間を接着剤にて充填する方法では、急激な温度変化の影響でＵＶ接着剤の膨張及び収縮が発生し塗布量のバラツキにおいてはバランスが崩れ、受光部の位置ずれが発生するという問題があった。
【０００６】
また、プリント基板に受光素子を取付ける空間部を設け、該空間部に受光素子を半田付けし、プリント基板をフレームにネジ止めにて支持する方法においては、激しい衝撃落下により受光素子の足が変形し受光部の位置ずれを起こすという問題があった。
【０００７】
本発明は、斯かる問題を解決した光ピックアップ装置を提供しようとするものである。
【０００８】
【課題を解決するための手段】
本発明の請求項１に係る光ピックアップ装置は、レーザー素子より放射されるレーザービームが対物レンズにより収束されて記録媒体に照射され、該記録媒体からの反射光が受光素子に受光される光ピックアップ装置において、前記受光素子が取り付けられるプレートに接着孔が設けられ、該プレートに該受光素子が遊嵌される凹部が設けられ、該凹部内の中央部に該接着孔が設けられ、該凹部内の前記反射光が通過する孔と、該受光素子の受光面に配置された検出部とが一致するように、該プレートの該凹部に該受光素子が遊嵌されたのちに、該接着孔と、該受光面の一部とが接着され、該受光面と、該プレートとの接着部分は、該受光面のセンター部分とされて、該受光素子が該プレートに支持されたことを特徴とする。
【０００９】
【発明の実施の形態】
図１は、本発明に係る光ピックアップ装置の要部の一実施形態を示す分解斜視図、図２は、図１に示すフレームに受光素子を接着固定した状態を示す図である。
【００１０】
図１において、１はピックアップ装置の主要部品が組み込まれているハウジング、１ａはハウジング１に設けられた記録媒体からの反射光を通過させるハウジング透孔、２は前記ハウジング１の方向に受光部が対向配置されており、複数の端子が設けている受光素子であり、受光面に設けられた検出部２ａはセンターよりシフトした位置に設けられ、受光素子２の後面にはフレキシブルプリント基板３が接着され接続されている。
【００１１】
４は前記受光素子２が取り付けられるプレート、４ａは前記プレート４に受光素子２の受光面を遊嵌させて取付ける取付凹部、４ｂは前記取付凹部４ａ内にハウジング孔１ａと一致する位置に孔を設け、前記受光素子２の検出部２ａと一致する位置に配置されているプレート透孔、４ｃは前記取付凹部４ａ内の中央部に孔を設け、該孔と受光素子２の受光面とを接着する接着孔である。
【００１２】
５は前記プレート４とハウジング１の間に配置し、前記プレート４を保持するプレートベース、５ａは前記プレートベース５にプレート透孔４ｂとハウジング透孔１ａに一致する位置に孔を設け、記録媒体からの反射光が通過するプレートベース透孔、６は前記フレキシブルプリント基板３と受光素子２を押圧しプレートベース５に取り付けるカバーである。
【００１３】
７ａと７ｂは前記プレートベース５に設けられ、受光素子２が取付けらたプレート４とカバー６を取付るネジ孔、８ａと８ｂは前記プレート透孔４ｂとプレートベース透孔５ａとを一致した位置において、ネジ孔７ａと７ｂに一致する孔を設けたプレート取付孔、９ａと９ｂはカバー６が取り付けられるカバー取付孔である。
【００１４】
１０ａはカバー取付孔９ａとプレート取付孔８ａを介してネジ孔７ａに取り付ける取付けネジ、１０ｂは前記取付ネジ１０ａと同様にカバー取付孔９ｂとプレート取付孔８ｂを介してネジ孔７ｂに取り付けるネジ、１１ａと１１ｂは前記ハウジング１のハウジング透孔１ａと同一面に設けられ、プレートベース５が取り付けられるプレートベース取付ネジ孔である。
【００１５】
１２ａと１２ｂはプレートベース５をハウジング１に当接し取り付けるプレートベース取付孔であり、プレート取付ネジ１３ａ及び１４ｂによりプレートベース取付ネジ孔１１ａと１２ｂにネジ止めされる。このプレートベース取付孔１２ａと１２ｂはプレートベース５を取り付ける際、プレートベース取付孔１２ａ、１２ｂはプレート取付ネジ１３ａ及び１３ｂの直径との遊びがあり受光素子２に記録媒体からの反射光が正確に受光するよう調節しネジ止めされるように構成されている。
【００１６】
１４はプレートベース５をＺ軸方向に調節する為のＺ軸調整孔、１６は前記Ｚ軸調整孔１４にネジ止めされるとともにネジの先端部はハウジング１の当接面１６を押圧し、プレートベース５はＺ軸方向に変位し受光素子２に記録媒体からの反射光が正確に受光するように構成されている。
【００１７】
次に組立て方法について述べると、まず、プレート４に設けられた取付凹部４ａにフレキシブルプリント基板３が接着接続された受光素子２の受光面を受光素子２の検出部２ａとプレート透孔４ｂとを一致させて遊嵌させる。この状態を保持し、接着孔４ｃ内にＵＶ接着即ち接着剤を充填して硬化することにより受光素子２とプレート４は接着される。
【００１８】
受光素子２が搭載されたプレート４はフレキシブルプリント基板３が接着されている受光素子２の背部よりカバー６を押圧した状態を保持し、取付ネジ１０ａによりカバー取付孔９ａとプレート取付孔８ａを介してネジ孔７ａにネジ止めされる。また、同様に取付ネジ１０ｂはカバー取付孔９ｂとプレート取付孔８ｂを介してネジ孔７ｂにネジ止めされる。このように部品が取付けられたプレートベース５は更にハウジング透孔１ａとプレートベース透光５ａを合致させた状態においてプレート取付ネジ１３ａ、１４ｂはプレートベース取付孔１２ａ、１２ｂを介してプレートベース取付ネジ孔１１ａ、１２ｂに取り付けられる。
【００１９】
次にＺ軸調整孔１４にＺ軸調整ネジ１５をネジ締め貫通させ当接面１６を押圧することによりプレートベース５はＺ軸方向に付勢され、受光素子２に記録媒体からの反射光の光軸が正確に受光素子２へ照射するようにＺ軸調整ネジ１５を調節する。
【００２０】
その結果、記録媒体からの反射光はハウジング透孔１ａからプレートベース透孔５ａとプレート透孔４ｂを通過し受光素子２の検出部２ａに照射されることになる。
【００２１】
【発明の効果】
以上の如く、請求項１記載の発明によれば、受光素子の受光面をプレートに密着させて接着するようにしているので、急激な温度変化の影響で収縮や膨張が発生すること、塗布量のバラツキによる受光部の位置ずれが発生することを最小限度に抑えることができる。
【００２２】
また、受光素子を支持するプレートに、凹部と、凹部内に反射光が通過する孔と、凹部内の中央部に接着用の孔とを設け、凹部に受光面を遊嵌させたのちに、接着剤により接着用の孔と受光面とをＵＶ接着剤にて充填するようにしたので、プレートに受光素子の受光面を取り付ける際に、受光素子の位置決めが簡単であると共に、プレートに設けられた接着孔と受光面を接着する際に、接着孔に接着剤を注入させるだけなので充填作業がし易いという作業性に優れた方式である。
【００２３】
そして、受光面と、プレートとの接着箇所は、受光面のセンター部分としたので、受光面の接着バランスが良く強固な接着力を得ることができる。
【図面の簡単な説明】
【図１】  本発明に係る光ピックアップ装置の要部の一実施形態を示す分解斜視図である。
【図２】  図１に示すフレームに受光素子を接着固定した状態を示す図である。
【符号の説明】
１    ハウジング
２    受光素子
２ａ  検出部
４    プレート
４ａ  取付凹部（凹部）
４ｂ  プレート透孔（孔）
４ｃ  接着孔
５    プレート
【図１】
0003813447.tif 000002
【図２】
0003813447.tif 000003